(57)【要約】  人工肺は、血液入口および血液出口を有するハウジングを含み、血液入口が、ハウジングの内側部分の中まで延在する。熱交換器は、ハウジング内に配置され、入口端部において熱交換流体入口に結合される。気体交換器もハウジング内に配置され、気体出口端部において気体交換流体出口に結合される一束の気体交換繊維を含む。人工肺は、一束の気体交換繊維の少なくとも気体出口端部を熱的に絶縁するように構成される少なくとも１つの絶縁体を含む。【選択図】図２
2020521578.tif 000002
【特許請求の範囲】
【請求項１】
血液入口および血液出口を有するハウジングであって、前記血液入口が、前記ハウジングの内側部分の中まで延在する、ハウジングと、
前記ハウジング内に配置される熱交換器であって、前記熱交換器が、入口端部において熱交換流体入口に結合される、熱交換器と、
前記ハウジング内に配置される気体交換器であって、前記気体交換器が、気体出口端部において気体交換流体出口に結合される気体交換繊維の束を含む、気体交換器と、
前記気体交換繊維の束の少なくとも前記気体出口端部を熱的に絶縁するように構成される少なくとも１つの絶縁体であって、前記少なくとも１つの絶縁体が、絶縁材料および絶縁チャンバのうちの少なくとも一方を含む、少なくとも１つの絶縁体と
を備える、人工肺。
【請求項２】
前記少なくとも１つの絶縁体が絶縁材料を含み、前記絶縁材料が透明である、請求項１に記載の人工肺。
【請求項３】
前記絶縁材料が、透明塗料および透明接着テープのうちの少なくとも１つを含む、請求項２に記載の人工肺。
【請求項４】
前記少なくとも１つの絶縁体が絶縁チャンバを含み、前記絶縁チャンバが絶縁流体を受け取るように構成される、請求項１に記載の人工肺。
【請求項５】
前記絶縁流体が、前記人工肺に提供されている熱交換流体の流れの一部分を含む、請求項４に記載の人工肺。
【請求項６】
前記人工肺ハウジングの外側に配置され、前記絶縁チャンバに前記絶縁流体を提供するように構成される導管をさらに備える、請求項４に記載の人工肺。
【請求項７】
前記絶縁チャンバが、前記ハウジングの少なくとも一部分を囲む、請求項４に記載の人工肺。
【請求項８】
前記人工肺が、前記ハウジングの第１の端部に配置される第１の端部キャップと、前記ハウジングの第２の端部に配置される第２の端部キャップとをさらに備え、前記絶縁チャンバが、前記ハウジングの前記第２の端部の外側表面と前記第２の端部キャップの内側表面との間に部分的に画定される、請求項４に記載の人工肺。
【請求項９】
前記絶縁チャンバが、前記第２の端部キャップの内側表面に画定されるチャネルにより少なくとも部分的に画定される、請求項８に記載の人工肺。
【請求項１０】
前記第２の端部キャップの前記内側表面に画定される接続チャネルをさらに備え、前記接続チャネルが、熱交換流体入口チャネルと前記絶縁チャンバとの間を延在する、請求項９に記載の人工肺。
【請求項１１】
前記第２の端部キャップの前記内側表面に画定される追加の接続チャネルをさらに備え、前記追加の接続チャネルが、前記絶縁チャンバと熱交換流体出口チャネルとの間を延在する、請求項１０に記載の人工肺。
【請求項１２】
前記接続チャネルおよび前記追加の接続チャネルが互いからオフセットされる、請求項１１に記載の人工肺。
【請求項１３】
血液入口および血液出口を有するハウジングであって、前記血液入口が、前記ハウジングの内側部分の中まで延在する、ハウジングと、
前記ハウジング内に配置される熱交換器であって、前記熱交換器が、入口端部において熱交換流体入口に結合される、熱交換器と、
前記ハウジング内に配置される気体交換器であって、前記気体交換器が、気体出口端部において気体交換流体出口に結合される気体交換繊維の束を含む、気体交換器と、
前記気体交換繊維の束の少なくとも前記気体出口端部を熱的に絶縁するために絶縁流体を受け取るように構成される絶縁チャンバと
を備える、人工肺。
【請求項１４】
前記絶縁チャンバが、前記ハウジングの少なくとも一部分を囲む、請求項１３に記載の人工肺。
【請求項１５】
前記人工肺が、前記ハウジングの第１の端部に配置される第１の端部キャップと、前記ハウジングの第２の端部に配置される第２の端部キャップとをさらに備え、前記絶縁チャンバが、前記ハウジングの前記第２の端部において前記ハウジングから延在するフランジの内側表面と、前記第２の端部キャップの内側表面と、によって境界を画定される、請求項１３に記載の人工肺。
【請求項１６】
前記絶縁チャンバが、前記気体交換器の前記気体出口端部の周りを少なくとも部分的に延在する環状チャンバを含む、請求項１３に記載の人工肺。
【請求項１７】
前記絶縁流体が、前記人工肺に提供されている熱交換流体の流れの一部分を含む、請求項１３に記載の人工肺。
【請求項１８】
前記ハウジングの外側表面上に配置される絶縁材料をさらに備える、請求項１３に記載の人工肺。
【請求項１９】
血液入口および血液出口を有するハウジングであって、前記血液入口が、前記ハウジングの内側部分の中まで延在する、ハウジングと、
前記ハウジングの第１の端部に配置される第１の端部キャップと、
前記ハウジングの第２の端部に配置される第２の端部キャップと、
前記ハウジング内に配置される熱交換器であって、前記熱交換器が、入口端部において熱交換流体入口に結合される、熱交換器と、
前記ハウジング内に配置される気体交換器であって、前記気体交換器が、気体出口端部において気体交換流体出口に結合される気体交換繊維の束を含む、気体交換器と、
前記気体交換繊維の束の少なくとも前記気体出口端部を熱的に絶縁するために絶縁流体を受け取るように構成される絶縁チャンバであって、前記絶縁チャンバが、前記第２の端部キャップの内側表面に画定されるチャネルにより少なくとも部分的に画定される、絶縁チャンバと
を備える、人工肺。
【請求項２０】
前記絶縁流体が、前記人工肺に提供されている熱交換流体の流れの一部分を含む、請求項１９に記載の人工肺。
【請求項２１】
前記ハウジングの外側表面上に配置される絶縁材料をさらに含む、請求項１９に記載の人工肺。
【発明の詳細な説明】
【技術分野】
【０００１】
[0001]本開示は、体外循環で血液を処理するための医療デバイスおよび方法に関する。より詳細には、本開示は人工肺に関する。
【背景技術】
【０００２】
[0002]血液潅流は身体の血管を通る血液を促進することを伴う。この目的のために、血液潅流システムは、通常、患者の血管系と相互接続される体外循環路内で１つまたは複数のポンプを使用することを伴う。心肺バイパス手術は、通常、心臓および肺の機能を置き換えることにより静止した手術野を作るために心臓の一時的な停止を実現するための潅流システムを必要とする。このような隔離により、血管狭窄症、弁膜症、および先天性心臓欠陥の外科的整復を可能にする。心肺バイパス手術のために使用される潅流システムでは、心臓および肺の機能と置き換えるための少なくとも１つのポンプおよび酸素化デバイスを有する体外血液回路が確立される。
【０００３】
[0003]より具体的には、心肺バイパス手技において、酸素の乏しい血液すなわち静脈血が、心臓に入る大静脈または身体内の他の静脈（例えば、大腿部）から重力により排液される（ｇｒａｖｉｔｙ−ｄｒａｉｎ）かまたは真空吸引され、体外循環路内の静脈ラインを通して運搬される。静脈血が人工肺まで圧送され、人工肺が酸素を血液まで運搬するのを実現する。膜を横切るように運搬することによりまたは使用頻度の低い形としては血液を介して酸素を気泡化することにより、酸素が血液の中に導入され得る。同時に、二酸化炭素が膜を介して除去される。酸素を豊富に含有する血液（ｏｘｙｇｅｎａｔｅｄ  ｂｌｏｏｄ）が濾過され、次に動脈ラインを通して、大動脈、大腿動脈、または他の動脈へと戻される。
【発明の概要】
【発明が解決しようとする課題】
【０００４】
[0004]いかなる人工肺の使用中も、人工肺の気体交換繊維（ｇａｓ−ｅｘｃｈａｎｇｅ  ｆｉｂｅｒ）の中で蒸気凝結が発生する可能性がある。蒸気凝結が発生すると、気体交換性能の漸進的な低下により蒸気凝結が明らかになる場合がある。従来、正常な機能を取り戻すためには、潅流技師が気体交換器から凝結水を手動で除去する。これを行うことは容易ではないことが多い。したがって、蒸気凝結を低減および／または防止することが望ましい。
【課題を解決するための手段】
【０００５】
[0005]本明細書で開示される主題の実施形態は、血液入口および血液出口を有するハウジングであって、血液入口が、ハウジングの内側部分の中まで延在する、ハウジングと、ハウジング内に配置される熱交換器であって、熱交換器が、入口端部において熱交換流体入口に結合される、熱交換器と、ハウジング内に配置される気体交換器であって、気体交換器が、気体出口端部において気体交換流体出口に結合される気体交換繊維の束を含む、気体交換器と、気体交換繊維の束の少なくとも気体出口端部を熱的に絶縁するように構成される少なくとも１つの絶縁体と、を備える人工肺を含む。実施形態では、少なくとも１つの絶縁体が、絶縁材料および／または絶縁チャンバを備える。実施形態では、少なくとも１つの絶縁体が絶縁材料を含み、絶縁材料が透明である（例えば、透明塗料、被覆物、接着テープなど）。実施形態では、少なくとも１つの絶縁体が絶縁チャンバを含み、絶縁チャンバが絶縁流体を受け取るように構成される。絶縁流体は、人工肺に提供されている熱交換流体の流れの一部分を含んでもよい。実施形態では、導管が人工肺ハウジングの外側に配置され、絶縁チャンバに絶縁流体を提供するように構成される。実施形態では、絶縁チャンバが、ハウジングの少なくとも一部分を囲む。
【０００６】
[0006]実施形態では、人工肺は、ハウジングの第１の端部に配置される第１の端部キャップと、ハウジングの第２の端部に配置される第２の端部キャップとを含み、絶縁チャンバが、ハウジングの第２の端部の外側表面と第２の端部キャップの内側表面との間に部分的に画定される。実施形態では、絶縁チャンバが、第２の端部キャップの内側表面内に画定されるチャネルにより少なくとも部分的に画定される。実施形態では、人工肺が、第２の端部キャップの内側表面に画定される接続チャネルをさらに含み、接続チャネルが、熱交換流体入口チャネルと絶縁チャンバとの間を延在する。実施形態では、人工肺が、第２の端部キャップの内側表面に画定される追加の接続チャネルをさらに含み、追加の接続チャネルが、絶縁チャンバと熱交換流体出口チャネルとの間を延在する。接続チャネルおよび追加の接続チャネルが互いからオフセットされてもよい。
【０００７】
[0007]本明細書で開示される主題の実施形態は、血液入口および血液出口を有するハウジングであって、血液入口が、ハウジングの内側部分の中まで延在する、ハウジングと、ハウジング内に配置される熱交換器であって、熱交換器が、入口端部において熱交換流体入口に結合される、熱交換器と、ハウジング内に配置される気体交換器であって、気体交換器が、気体出口端部において気体交換流体出口に結合される、気体交換器と、気体交換繊維の束の少なくとも気体出口端部を熱的に絶縁するために絶縁流体を受け取るように構成される絶縁チャンバと、を備える人工肺を含む。実施形態によると、人工肺が、ハウジングの外側表面上に配置される絶縁材料（例えば、透明塗料、被覆物、接着テープなど）を含む。実施形態では、絶縁チャンバが、ハウジングの少なくとも一部分を囲む。実施形態では、人工肺が、ハウジングの第１の端部に配置される第１の端部キャップと、ハウジングの第２の端部に配置される第２の端部キャップとをさらに含み、絶縁チャンバが、ハウジングの第２の端部の外側表面と、ハウジングから延在するフランジの内側表面と、第２の端部キャップの内側表面と、によって境界を画定される。実施形態では、絶縁チャンバが、気体交換器の気体出口端部の周りを少なくとも部分的に延在する少なくとも部分的に環状であるチャンバを含む。実施形態では、絶縁流体が、人工肺に提供されている熱交換流体の流れの一部分を含む。
【０００８】
[0008]本明細書で開示される主題の実施形態は、血液入口および血液出口を有するハウジングであって、血液入口が、ハウジングの内側部分の中まで延在する、ハウジングと、ハウジングの第１の端部に配置される第１の端部キャップと、ハウジングの第２の端部に配置される第２の端部キャップであって、絶縁チャンバが、ハウジングの第２の端部の外側表面と第２の端部キャップの内側表面との間に部分的に画定される、第２の端部キャップと、ハウジング内に配置される熱交換器であって、熱交換器が、入口端部において熱交換流体入口に結合される、熱交換器と、ハウジング内に配置される気体交換器であって、気体交換器が、気体出口端部において気体交換流体出口に結合される気体交換繊維の束を含む、気体交換器と、気体交換繊維の束の少なくとも気体出口端部を熱的に絶縁するために絶縁流体を受け取るように構成される絶縁チャンバであって、絶縁チャンバが、第２の端部キャップの内側表面に画定されるチャネルにより少なくとも部分的に画定される、絶縁チャンバと、を備える人工肺を含む。
【０００９】
[0009]複数の実施形態が開示されるが、開示される主題の例示の実施形態を示して説明する以下の詳細な説明から、本開示の別の実施形態が当業者には明らかになるであろう。したがって、図面および詳細な説明は、本質的に例示としてみなされるべきであり、限定的とみなされるべきではない。
【図面の簡単な説明】
【００１０】
【図１】[0010]開示される主題の実施形態による例示の人工肺の概略図である。
【図２】[0011]開示される主題の実施形態による、図３に描かれる線Ｂ−Ｂに沿った、例示の人工肺の部分断面側面図である。
【図３】[0012]開示される主題の実施形態による、図２に描かれる例示の人工肺の端部キャップの断面図である。
【図４】[0013]開示される主題の実施形態による、図３に描かれる線Ａ−Ａに沿った、図２および図３に描かれる例示の人工肺の別の部分断面側面図である。
【図５】[0014]開示される主題の実施形態による例示の人工肺の概略図である。
【発明を実施するための形態】
【００１１】
[0015]開示される主題は種々の修正形態および代替形態に順応するが、図面には例として具体的な実施形態が示されており、これらの具体的の実施形態を以下で詳細に説明する。しかし、本発明は、本開示を、説明される特定の実施形態のみに限定するものではない。逆に、本開示は、添付の特許請求の範囲によって定義される本開示の範囲内にあるすべての修正形態、均等物、および代替形態を包含することを意図される。
【００１２】
[0016] 有形物（例えば、製品、原材料など）および／または無形物（例えば、データ、通貨の電子的表現、アカウント、情報、物の割り当て（例えば、パーセンテージ、割合）、計算、データモデル、力学系モデル、アルゴリズム、パラメータ、など）の測定値（例えば、寸法、特性、属性、成分、など）および測定値の範囲に関連する用語が本明細書で使用される場合、記述される測定値を含み、さらには記述される測定値に妥当な程度で近似するが：測定誤差；測定の差異および／または製造設備の較正；測定の読み取りおよび／または設定の人為ミス；他の測定値（例えば、他の物に関連する測定値）を考慮した上で性能パラメータおよび／または構造パラメータを最適化するために行われる調整；特定の実装形態のシナリオ；人間による、計算デバイスによる、および／または機械による、物、設備、および／または測定の不正確な調整および／または操作；システム許容誤差；制御ループ；機械学習；予見可能な変化量（例えば、統計的に有意ではない変化量、カオス的変化、システムおよび／またはモデルの不安定さ、など）；ならびに／あるいは、好みの設定；など、に起因するものであることを当業者によって理解されて容易に認識されるくらいの妥当なわずかな程度で異なっていてよいすべての測定値を含む、測定値を意味することを目的として、「約」および「概略」が交換可能に使用され得る。
【００１３】
[0017]例示的に採用される異なる要素を暗示するために「ブロック」という用語が使用され得るが、この用語は、本明細書で開示される種々のブロックの要求事項またはそれらの間での特定の順序を暗に意味するものとして一切解釈されるべきではない。同様に、１つまたは複数の図面（例えば、流れ図、通信フローなど）により例示の方法が表され得るが、これらの図面は、本明細書で開示される種々のステップの要求事項またはそれらの間での特定の順序を暗に意味するものとして一切解釈されるべきではない。しかし、特定の実施形態が、本明細書で明示的に説明され得るようなおよび／またはステップ自体の性質から理解され得るような、特定のステップを、および／または特定のステップの間の特定の順序を必要とする場合もある（例えば、いくつかのステップの履行が種々のステップの成果によって左右される可能性がある）。また、項目（例えば、入力、アルゴリズム、データ値、など）の「セット」、「サブセット」、または「グループ」は、１つまたは複数の項目を含んでよく、また同様に、項目のサブセットまたはサブグループは、１つまたは複数の項目を含んでよい。「複数の」は２つ以上であることを意味する。
詳細な説明
[0018]中空繊維人工肺では、血液が繊維の外側を循環させられ、対して気体が内部を流れる。酸素を含有する中空繊維の束（ｏｘｙ  ｈｏｌｌｏｗ  ｆｉｂｅｒ  ｂｕｎｄｌｅ）の大部分の中の気体温度が実質的に一様であり、血液温度と同等になる傾向を有し、次に血液温度も熱交換流体の温度と同等になる傾向を有する。したがって、酸素を含有する束の大部分の中では、繊維微小孔を介することにより血液からのＣＯ２で抽出される、気体に含有される水蒸気が凝結する可能性は低い。その理由は、一般に、気体と血液との間に実質的に温度差がないからである。しかし、気体温度は、しばしば、気体交換器の気体出口端部に向かうにつれて大幅に低下し、気体出口端部では繊維が注封用容積部分に接触し（気体より低い温度で）、注封用容積部分が冷却要素のように振る舞い、繊維内部で水蒸気の凝結を引き起こす。
【００１４】
[0019]本明細書で開示される主題の実施形態は、この温度差を低減するのを促進し、ひいては気体交換繊維内での凝結の発生を低減する。実施形態では、絶縁体が気体交換器の気体出口端部に隣接して配置される。絶縁体が、気体交換器の気体出口端部（また、一部の事例では、人工肺ハウジングの少なくとも一部分）に隣接して配置される絶縁チャンバを有することができ、絶縁流体を受け取るように構成され、実施形態では、絶縁流体が熱交換流体の流れの一部分であってもよい。実施形態では、絶縁体が、人工肺ハウジングの外部表面に付着され得る絶縁材料を含むことができる。実施形態が、絶縁チャンバおよび絶縁材料の両方を含んでもよい。
【００１５】
[0020]本開示は血液処理装置に関連し、血液処理装置が、種々の実施形態によると、気体交換器（一般には人工肺とも称される）を有し、実施形態では、熱交換器をさらに有する。実施形態では、「人工肺」という用語が、例えば、独立型の気体交換器、または単一デバイス内で気体交換器を別のシステム（例えば、熱交換器）と組み合わせる一体化される構造、などの、気体交換処理を実施するように構成される血液処理装置を意味するのに使用され得る。実施形態では、例えば、熱交換器および気体交換器が、他の構成要素の内部に位置する１つの構成要素と同心となるように配置される。他の実施形態によると、熱交換器および気体交換器が、互いに動作可能に結合される構造的に別個の構造である。実施形態では、人工肺が体外血液回路で使用され得る。バイパス手技で使用され得るような体外血液回路は、人工心肺装置、血液リザーバ、さらには人工肺などの、複数の異なる要素を含むことができる。人工肺は、体外膜酸素化（ＥＣＭＯ：ｅｘｔｒａｃｏｒｐｏｒｅａｌ  ｍｅｍｂｒａｎｅ  ｏｘｙｇｅｎａｔｉｏｎ）などの手技でも、および／または同様の手技などでも使用され得る。
【００１６】
[0021]図１は人工肺１００の概略図である。人工肺１００は気体交換器を有することができ、実施形態では、熱交換器を有することができる。実施形態では、人工肺１００が、例えば血液フィルタおよび／または血液ポンプなどの、任意の数の他のデバイスを含むことができる。実施形態によると、熱交換器および気体交換器が人工肺１００内で一体化され得る。人工肺１００が、ハウジング１０２と、ハウジング１０２の第１の端部１０６に固着される第１の端部キャップ１０４と、ハウジング１０２の第２の端部１１０に固着される第２の端部キャップ１０８とを有する。実施形態では、第１の端部キャップ１０４および／または第２の端部キャップ１０８が定位置で接着的に固着され得る。実施形態では、第１の端部キャップ１０４および／または第２の端部キャップ１０８が定位置にスナップ嵌合されることなどを行われ得るか、および／またはハウジング１０２のそれらのそれぞれの端部上にねじ込まれることなどを行われ得る。
【００１７】
[0022]実施形態では、ハウジング１０２が、ハウジング１０２を他のデバイスに取り付けるのを可能にする構造を有することができる。ハウジング１０２が概略円筒形状として示されているが、実施形態では、ハウジング１０２が任意の数の異なる形状を有してもよい（例えば、長方形断面形状または他の平行四辺形断面形状、長円断面形状、など）。人工肺１００が熱交換器および気体交換器を有するような実施形態では、熱交換器および気体交換器の各々がほぼ等しい断面形状を有してもよいか、または各々が異なる断面形状を有してもよい。実施形態では、熱交換器が気体交換器の内部にあってもよい。実施形態では、熱交換器および気体交換器が同心であってもよい。
【００１８】
[0023]実施形態では、血液入口１１２がハウジング１０２の中まで延在し、血液出口１１４がハウジング１０２から外に出る。示される人工肺１００が、気体交換流体（空気、酸素、および／または酸素と他の気体との混合物、など）を人工肺１００に提供するのを促進するように構成される気体交換流体入口１１６と、人工肺１００から気体交換流体を除去するのを促進するように構成される気体交換流体出口１１８と、水などの熱交換流体を人工肺１００に提供するのを促進するように構成される熱交換流体入口１２０と、例えば示される実施形態では熱交換流体入口１２０の後方にある、人工肺１００から熱交換流体を除去するのを促進するように構成される熱交換流体出口１２２と、を有する。実施形態では、熱交換流体入口１２０がハウジング１０２の一方の端部に配置され得、対して熱交換流体出口１２２がハウジング１０２の反対側の端部に配置され得る。熱交換流体入口１２０が、ハウジング１０２内に配置される熱交換器に熱交換流体を提供するのを促進するように構成される。また、実施形態では、熱交換流体入口１２０が、気体交換流体出口領域に隣接して配置される絶縁チャンバ１２４に熱交換流体を提供するのを促進するように構成され得、それにより血液と人工肺１００から外に出る気体との間の温度勾配を低減するのを促進する。実施形態では、人工肺１００が、絶縁チャンバ１２４に結合される分離された熱交換流体入口を有することができる。実施形態では、人工肺１００が、熱交換流体の一部分を、熱交換器から絶縁チャンバ１２４まで、および／または絶縁チャンバ１２４から熱交換器まで、移送するのを促進する、ハウジング１０２の外側または内部に配置される導管を有することができる。このようにして、本明細書で開示される主題の実施形態が、気体交換器内での凝結を低減するのを促進するように構成され得る。
【００１９】
[0024]実施形態では、血液入口１１２および／または気体交換流体入口１１６が第１の端部キャップ１０４と一体に形成され得る。例えば、いくつかの事例では、第１の端部キャップ１０４が、射出成形部品の一部分として形成される血液入口１１２および／または気体交換流体入口１１６と共に射出成形され得る。実施形態では、第１の端部キャップ１０４がアパーチャを有するように形成され得、血液入口１１２および／または気体交換流体入口１１６がこのアパーチャに結合され得る。同様に、実施形態では、熱交換流体入口１２０および／または熱交換流体出口１２２が第２の端部キャップ１０８と一体に形成され得る。例えば、いくつかの事例では、第２の端部キャップ１０８が、射出成形部品の一部分として形成される熱交換流体入口１２０および／または熱交換流体出口１２２と共に射出成形され得る。同様に、実施形態では、第２の端部キャップ１０８が、射出形成部品の一部分として形成される気体交換流体出口１１８と共に射出成形され得る。実施形態では、第２の端部キャップ１０８がアパーチャを有するように形成され得、熱交換流体入口１２０、熱交換流体出口１２２、および／または気体交換流体出口１１８のうちの１つまたは複数がこのアパーチャに結合され得る。実施形態では、熱交換流体入口１２０および熱交換流体出口１２２のうちの一方が第１の端部キャップ１０４内に位置してもよく、対して熱交換流体入口１２０および熱交換流体出口１２２のもう一方が第２の端部キャップ１０８内に位置してもよい。実施形態では、熱交換流体入口１２０および熱交換流体出口１２２が第１の端部キャップ１０４内に位置してもよく、対して他の実施形態で、熱交換流体入口１２０および熱交換流体出口１２２が第２の端部キャップ１０８内に位置してもよい。
【００２０】
[0025]実施形態では、人工肺が、人工肺の内部から気泡を除去するのに使用され得るパージポート１２６を有することができる。パージポート１２６が、外に出る血液と混合される気体（例えば、気泡）を人工肺１００から放出するかまたは吸引して除去するのを可能にするように構成され得る。ハウジング１０２を基準とした、入口、出口、およびパージポートの位置は単に例示であり、他の配置および構成も想定される。
【００２１】
[0026]実施形態によると、人工肺１００が、人工肺１００から環境への熱分散を低減するように構成される、ハウジング１０２上に配置される絶縁材料を有することができる。絶縁材料が、絶縁チャンバの代わりにまたは絶縁チャンバに加えて、採用され得る。「絶縁体」という用語は、絶縁材料および／または絶縁チャンバを意味していてよい。実施形態によると、任意の数の異なる種類の絶縁材料がハウジング１０２の上またはその中に提供され得、実施形態では、複数の絶縁材料が同時に使用され得る。実施形態では、絶縁材料が、例えば、ＢＡＳＦ  Ｔｏｐ  Ｃｏａｔ  ６０３  Ｆｕｌｌ  Ｗｈｉｔｅ、Ｃｌｅａｒ  Ｃｏａｔ  Ｔｉｘｏ  Ｏｐａｑｕｅ  １０  Ｇｌｏｓｓ  ＧＰ３１−０４３６、および／または同様のもの、などの、低い熱伝導性を有する透明（または、少なくとも部分的に透明）の被覆物または塗料を例えば有することができる。
【００２２】
[0027]実施形態では、絶縁材料が、ハウジング１０２の外側表面および／またはハウジング１０２の内側表面に着脱自在にまたは永久的に固定され得る。例えば、実施形態では、絶縁材料が、ハウジング１０２の少なくとも一部分の周りに被着される１つまたは複数のブランケットを有することができる。ブランケットを折り曲げるか、束ねるか、または他の形で取り扱うことにより；接着剤を使用することにより；ならびに／あるいは機械固定具を使用することなどにより（例えば、留め金、クリップ、など）、ブランケットが定位置で固着され得る。実施形態では、絶縁ブランケットが、ネオプレンおよび／またはアルミ箔などで作られ得る。実施形態によると、絶縁材料が、ハウジングの外側表面の少なくとも一部分の周りに被着される例えば絶縁テープ１２８などの、絶縁接着剤であってもよい。例えば、一片の絶縁テープ１２８が、一束の気体交換繊維の気体出口端部に隣接するハウジング１０２の端部の周りに被着され得る。絶縁材料を人工肺ハウジング１０２に付着させることにより、デバイスから環境への熱分散が低減され得、それにより血液／気体の温度勾配を低減することができ、ひいては気体交換繊維内の凝結を阻害することができる。
【００２３】
[0028]図１に示される例示の人工肺１００は本開示の実施形態の使用または機能の範囲に関しての制限を示唆することを一切意図されない。例示の人工肺１００は、本明細書で示される任意の単一の構成要素または構成要素の組み合わせに関連するなんらかの従属物または必需品を有するものとして解釈されるべきではない。また、図１に描かれる種々の構成要素は、実施形態において、本明細書で描かれる他の構成要素のうちの種々の構成要素（および／または示されない構成要素）と一体化されてよく、これらの他の構成要素のすべてが本開示の範囲内にあるとみなされる。
【００２４】
[0029]図２〜４が、開示される主題の実施形態による、断熱チャンバを有する例示の人工肺２００を描いている。図２が、図３に描かれるＢ−Ｂに沿った、人工肺２００の部分断面側面図であり；図３が、図２に描かれる人工肺２００の、Ｃ−Ｃに沿った、第２の端部キャップの断面図であり；図４が、図３に示される、Ａ−Ａに沿った、人工肺２００の別の側断面図である。実施形態では、人工肺２００が、図１に描かれる人工肺１００と同様のものであってもよいか、人工肺１００を含んでよいか、または人工肺１００に含まれてよい。
【００２５】
[0030]人工肺２００は、ハウジング２０２の第１の端部（図示せず）に結合される第１の端部キャップ（図示せず）と、ハウジング２０２の第２の端部２０６に結合される第２の端部キャップ２０４とを有するハウジング２０２を含む。図示されるように、例示の人工肺２００は、熱交換器２０８と、気体交換器２１０とを含む。熱交換器２０８は、熱交換器コア２１２と、熱交換器コア２１２の周りに同軸に配置される熱交換要素２１４とを含む。種々の実施形態によると、熱交換器コア２１２は任意の数の異なる種類の構成を有することができ、および／または人工肺２００を通る所望の血流量を与えるように構成される任意の数の構造部を有することができる。例えば、熱交換器コア２１２は、リブ構造部、窪み部分、および／または同様のものを含んでもよい。
【００２６】
[0031]実施形態では、熱交換器要素２１４は、複数の中空繊維を含むことができ、中空繊維を通って水などの熱交換流体が流れることができる。熱交換器要素２１４の繊維が束ねられ、その束が、その入口端部２１６において、熱交換流体入口チャネル（換言すれば、流路）２１８に結合され、熱交換流体入口チャネル２１８が、流入する熱交換流体２２０が熱交換流体入口２２２から繊維の束まで流れるのを可能にするように構成される。血液が、中空繊維の周りを、および中空繊維を通過するように、流れることができ、それにより適切に加熱され得る。種々の実施形態によると、中空繊維が約０．２ミリメートルから約１．０ミリメートルの間の外径を有することができ、より具体的には約０．２５ミリメートルから約０．５ミリメートルの間の外径を有することができる。中空繊維が、例えば約２０ミリメートルから約２００ミリメートルの範囲の幅を有することができるマットに編み込まれてよい。実施形態では、マットが１つの断面構成として配置される。実施形態によると、熱交換要素２１４がひだのある複数の薄層金属表面（例えば、金属プレートまたはシートのアレイ）を含むことができる。熱交換器要素２１４が任意の数の他の種類の熱交換媒体および／または熱交換構造を含んでもよい。
【００２７】
[0032]円筒形シェル２２４が熱交換器要素２１４の周りに同軸に配置され、気体交換器２１０が円筒形シェル２２４の周りに同軸に配置される。参考としては、図に描かれるように、円筒形シェル２２４および気体交換器２１０が垂直方向の中心軸２１５を共有することができる。実施形態では、気体交換器２１０が複数の微多孔中空気体交換繊維を含むことができ、微多孔中空気体交換繊維を通って気体交換流体２２６（例えば、酸素、酸素と１つまたは複数の他の気体との混合物、空気、などの気体）が流れることができる。気体交換器２１０の繊維が束ねられ、この束がその入口端部（図示せず）において入口流れカプラ（図示せず）に結合され、入口流れカプラが気体交換流体入口（図示せず）からの流入する気体交換流体２２６を繊維の束まで提供するように構成される。同様に、気体交換繊維の束が気体出口端部２２８において気体交換流体出口チャネル２３０に結合され得、気体交換流体出口チャネル２３０が気体交換流体２２６を束から気体交換流体出口２３２まで提供するように構成される。血液が、中空繊維の周りを、および中空繊維を通過するように、流れることができる。濃度勾配を理由として、酸素が微多孔中空繊維を通って血液の中へ拡散することができ、対して二酸化炭素が中空繊維の中へ拡散することができ、血液から出ることができる。実施形態では、中空繊維が、ポリプロピレン、ポリエステル、または任意適切な他のポリマーまたはプラスチックの、微孔性の疎水性材料で作られてよい。種々の実施形態によると、中空繊維が約０．３８ミリメートルの外径を有する。実施形態によると、微多孔中空繊維が約０．２ミリメートルから１．０ミリメートルの間の直径を有することができ、より具体的には約０．２５ミリメートルから約０．５ミリメートルの間の直径を有することができる。中空繊維が、例えば約２０ミリメートルから約２００ミリメートルの範囲の幅を有することができるマットに編み込まれてよい。実施形態では、マットが１つの断面構成として配置される。
【００２８】
[0033]実施形態によると、気体交換繊維のおよび／または熱交換繊維または金属表面の端部が、端部キャップ２０４に隣接する注封材料（例えば、注封用樹脂）２３４内に埋め込まれてもよい。実施形態では、絶縁チャンバ２３６が、ハウジング２０２の第２の端部２０６におけるフランジ２４２の内側表面の第１の部分２３８と、フランジ２４２の内側表面の第２の部分２４０と、端部キャップ２０４の内側表面２４４との間に画定され得る。実施形態では、フランジ２４２がハウジング２０２に一体化され得、この事例では、フランジ２４２がハウジング２０２の一部分としてみなされてもよい。実施形態では、フランジ２４２が、例えば、別個に構成されてハウジングに結合され得る。
【００２９】
[0034]絶縁チャンバ２３６が、気体出口端部２４６と、気体交換器２０８の気体交換移行チャネル２４８と、気体交換流体出口チャネル２３０とに隣接して配置され得る。絶縁チャンバ２３６が、（概して）特定の温度でまたは概して特定の温度範囲内で気体交換流体２２６を維持するのを促進する絶縁流体を受け取るように構成され得る。この温度および／または温度範囲は、気体交換繊維内での凝結の発生を低減するように選択され得る。実施形態では、示されるように、絶縁チャンバ２３６が、気体交換器２０８の気体出口端部２４６の少なくとも一部分の周りを同軸に延在する環状（または、少なくとも部分的に環状である）チャンバを有することができる。この事例では、気体交換移行チャネル２４８が流体出口チャネル２３０の一部分であってもよい。
【００３０】
[0035]実施形態では、絶縁チャンバ２３６が、任意の数の異なる形状に従って、任意の数の多様な位置を有するように設計され得る。実施形態では、絶縁チャンバ２３６が複数の異なるチャンバ（例えば、半環状チャンバ）であってもよく、実施形態では、これらのチャンバのうちの２つ以上のチャンバが、それらの間を絶縁流体が移動するのを可能にするように接続され得る。実施形態では、絶縁チャンバ２３６が、端部キャップ２０４の一部分、端部キャップ２０４の全体、ハウジング２０２の一部分、および／またはハウジング２０２全体などを囲むように構成され得る。絶縁チャンバ２３６が、一定の深さ（つまり、端部キャップ２０４の内側表面２４４によって境界を画定されるチャンバ２３６の端部と内側表面２４０の対向部分２８８との間の距離）および／または、幅（つまり、表面２３８とフランジ２４２の内側表面２４０の対向部分３００との間の距離）を有するように構成され得る。実施形態では、例えば、フランジ２４２が、ハウジング２０２に隣接するところに可変の容積を提供する湾曲構成を有することができる。
【００３１】
[0036]実施形態では、絶縁流体が熱交換流体２２０と同じであってもよく、一方で他の実施形態では、絶縁流体が別の種類の流体であってもよい。絶縁流体が熱交換流体とは異なる実施形態では、人工肺２００が、人工肺に入るおよび人工肺から出る絶縁流体の循環を促進するように構成される、絶縁流体入口（図示せず）、および／または絶縁流体出口（図示せず）を有することができる。実施形態では、加熱デバイス（図示せず）が、人工肺２００に対して絶縁流体が提供される前に絶縁流体の温度を修正する（例えば、上昇させる）ために提供され得る。
【００３２】
[0037]絶縁流体が熱交換器２０８の熱交換流体２２０と同じである実施形態では、人工肺２００に提供されている熱交換流体２２０の流れの第１の部分が熱交換器２０８に提供され得、対して人工肺２００に提供されている熱交換流体２２０の第２の部分が絶縁チャンバ２３６に提供され得る。つまり、例えば、熱交換流体入口チャネル２１８が、熱交換流体入口チャネル２１８の境界を画定する内壁表面２５４内に画定されるアパーチャ２５２を介して、熱交換流体入口２２２から熱交換流体入口チャネル２１８の中まで流れる流入する熱交換流体２２０の第１の部分２５０が熱交換器２０８まで流れるのを可能にするように、ならびに流入する熱交換流体２２０の第２の部分２５６が熱交換流体入口チャネル２１８の境界を画定する内壁表面２５４から第１の接続チャネル２６２の境界を画定する内壁表面２６０まで延在するアパーチャ２５８を介して、第１の接続チャネル２６２を通って絶縁チャンバ２３６の中まで流れるのを可能にするように、構成され得る。このようにして、熱交換流体２２０の新鮮な供給分が絶縁チャンバ２３６を通るように連続的に（または、継続的に）移動させられ得る。
【００３３】
[0038]第２の接続チャネル２６４が、端部キャップ２０４の内側表面２４４内に画定されるアパーチャ２６６から、熱交換流体出口チャネル２７２の境界を画定する内壁表面２７０内に画定されるアパーチャ２６８まで、延在する。絶縁チャンバ２３６から熱交換流体出口チャネル２７２の中まで流れる熱交換流体の部分２７４が、熱交換器２０８から外に出る流体の部分２７６に合流して、内壁表面２７０内に画定されるアパーチャ２７８を介して、熱交換出口２８２まで流れる。図３に示されるように、接続チャネル２６２および２６４が線Ａ−Ａによって示されるように互いからオフセットされて（換言すれば、ずれて）配置され得る。他の実施形態では、接続チャネル２６２および２６４が互いに一直線上にある。接続チャネル２６２および２６４が、人工肺に入る熱交換流体の一定の流量との組み合わせで、絶縁チャンバ２３６の中に流れる熱交換流体の部分に対して一定の流量を与えるような特定のサイズ（例えば、直径）を有するように構成され得る。このようにして、例えば、絶縁チャンバ２３６に付随する流体の多様な流量が、多様な端部キャップを置き換えることによって選択され得、多様な端部キャップの各々が、対応する流量を与えるようにおよび、ひいては血液／気体の温度勾配に影響を与えるようにサイズ決定される、接続チャネル、入口チャネル、および／または出口チャネルを有する。
【００３４】
[0039]図２〜図４に示されるように、絶縁チャンバ２３６が、気体交換器２１０の気体出口端部２４６を囲み、さらには気体交換流体出口チャネル２３０および気体交換移行チャネル２４８を囲む。示されるように、絶縁チャンバ２３６；チャネル２１８、２３０、２７２、２４８；ならびに、接続チャネル２６２および２６４が、端部キャップ２０４の内側表面２８６内に画定され得る。例えば、実施形態では、端部キャップが、構造部２１８、２３０、２３６、２６２、２６４、２７２、および２４８のうちの任意の１つまたは複数の構造部を含むように製造され得る。他の実施形態では、絶縁チャンバ２３６；チャネル２１８、２３０、２７２、２４８；ならびに接続チャネル２６２および２６４、のうちの１つまたは複数が、ハウジング２０２の１つまたは複数の部分の中に画定され得るか、ハウジング２０２の１つまたは複数の部分と端部キャップ２０４の内側表面２８６の１つまたは複数の部分との組み合わせによって画定され得るか、ならびに／あるいは端部キャップ２０４とハウジング２０２（および／または、熱交換器２０８、気体交換器、など）との間に配置されるように構成される挿入部分（フランジ２４２など）内に画定され得る、などである。
【００３５】
[0040]図２〜図４に示される例示の人工肺２００は、本開示の実施形態の使用または機能の範囲に関しての制限を示唆することを一切意図されない。例示の人工肺２００は、本明細書で示される任意の単一の構成要素または構成要素の組み合わせに関連するなんらかの従属物または必需品を有するものとして解釈されるべきではない。また、図２〜図４に描かれる種々の構成要素は、実施形態において、本明細書で描かれる他の構成要素のうちの種々の構成要素（および／または示されない構成要素）と一体化されてもよく、これらの他の構成要素のすべてが本開示の範囲内にあるとみなされる。
【００３６】
[0041]上で説明したように、実施形態は、人工肺のハウジングの少なくとも一部分の周りに配置される絶縁チャンバを有する人工肺を含んでもよい。これは特に小型のＣＰＢまたはＥＣＭＯ人工肺の事例に当てはまる。図５は、開示される主題の実施形態による、絶縁チャンバを有する例示の人工肺の概略図である。
【００３７】
[0042]図５は、開示される主題の実施形態による、小型のＣＰＢのオペレーションで使用されるように構成される例示の人工肺５００を描いている。実施形態によると、人工肺５００が、図１に描かれる人工肺１００および／または図２〜図４に描かれる人工肺２００と同様のものであってもよいか、人工肺１００および／または人工肺２００を含んでよいか、人工肺１００および／または人工肺２００に含まれてよいか、あるいは人工肺１００および／または人工肺２００と同様の構造部を有してもよい。示されるように、人工肺５００が、ハウジング５０２と、ハウジングの第１の端部５０６に配置される第１の端部キャップ５０４と、ハウジング５０２の第２の端部５１０に配置される第２の端部キャップ５０８とを有する。絶縁チャンバ５１２がハウジング５０２の少なくとも一部分の周りに配置される。つまり、実施形態では、絶縁チャンバ５１２がハウジング５０２の外側表面に結合され得、一方で他の実施形態では、絶縁チャンバ５１２がハウジング内に画定され得、例えばハウジングの外側表面の直下に画定され得る。示されるように、絶縁チャンバ５１２が、ハウジング５０２の第１の端部５０６からハウジング５０２の第２の端部５１０まで延在する。他の実施形態では、絶縁チャンバ５１２が、ハウジング５０２の第１の端部５０６と第２の端部５１０との間の一部分のみを延在する。同様に、実施形態では、絶縁チャンバ５１２が、ハウジング５０２の円周全体の周りで（ハウジング５０２の内側で、またはハウジング５０２の外側で）円周方向に配置され得るか、ハウジング５０２の円周の周りの一部分のみを延在してもよい（ハウジング５０２の内側で、またはハウジング５０２の外側で）。
【００３８】
[0043]図５に示されるように、絶縁チャンバ５１２が、絶縁流体を絶縁流体供給源（例えば、流体加熱デバイス、リザーバまたは容器、熱交換器など）から絶縁チャンバ５１２に提供するように構成される絶縁流体入口５１４を有する。絶縁チャンバ５１２が、絶縁チャンバ５１２から絶縁流体を除去するのを促進するように構成される絶縁流体出口５１６をさらに有する。実施形態では、絶縁流体入口５１４が、人工肺５００の中におよび／または人工肺５００の外側に配置される導管５２０を介して熱交換流体入口５１８に結合され得る。実施形態では、例えば、第１の入口導管（図示せず）が、熱交換流体入口５１８から、ハウジング５０２内に配置される熱交換器（図示せず）まで延在してもよく、第２の入口導管（図示されないが、５２０において概念的に示される）が、熱交換流体入口５１８から、または第１の入口導管から、ハウジング５０２の中におよび／またはハウジング５０２の外側に画定され得る絶縁流体入口５１４まで、延在してもよい。同様に、第１の出口導管（図示せず）が熱交換器から熱交換流体出口５２２まで延在してもよく、第２の出口導管（図示されないが、５２４において概念的に示される）が、絶縁流体出口５１６（ハウジング５０２内におよび／またはハウジング５０２の外側に配置され得る）から、熱交換流体出口５２２まで、または第１の出口導管まで、延在してもよい。
【００３９】
[0044]図５に示される例示の人工肺５００は、本開示の実施形態の使用または機能の範囲に関しての制限を示唆することを一切意図されない。例示の人工肺５００は、本明細書で示される任意の単一の構成要素または構成要素の組み合わせに関連するなんらかの従属物または必需品を有するものとして解釈されるべきではない。また、図５に描かれる種々の構成要素は、実施形態において、本明細書で描かれる他の構成要素のうちの種々の構成要素（および／または示されない構成要素）と一体化されてよく、これらの他の構成要素のすべてが本開示の範囲内にあるとみなされる。
【００４０】
[0045]本開示の範囲から逸脱することなく、考察される例示の実施形態に対して種々の修正および追加が行われ得る。例えば、上述の実施形態は特定の構造部を参照するものであるが、本開示の範囲は、構造部の多様な組み合わせを有する実施形態、および説明される構造部のすべてを含むわけではない実施形態をさらに含む。したがって、本開示の範囲は、特許請求の範囲の範囲内にあるようなすべての代替形態、修正形態、および変形形態を、そのすべての均等物と併せて、含有することを意図される。
【図１】
2020521578.tif 000003
【図２】
2020521578.tif 000004
【図３】
2020521578.tif 000005
【図４】
2020521578.tif 000006
【図５】
2020521578.tif 000007
【国際調査報告】
2020521578.tif 000008
2020521578.tif 000009
2020521578.tif 000010